(57)【要約】【課題】  封止状態が解除されているか否かを簡単に検知でき、確実に判断することができる遊技機を実現する。【解決手段】  固定部材９７ａは切断部９１ｅに接して固定され、切断部９１ｅを切断するためには固定部材９７ａも併せて切断せざるをえないように設けられている。切断部９１ｅの破壊と共に固定部材９７ａが破壊され、基板ケース８４の本体８５と蓋体８６との封止状態が解除された場合は、移動部材１０９ａは、コイルバネ１０８ａによって付勢されているため、左方向へ移動する。移動部材１０９ａが左方向に移動すると、蓋体８６の外側に突出していた突起部１０７ａは、蓋体８６の内部に引っ込み、突出しなくなる。突起部１０７ａの突出の有無は、右側面１０２ａを指で触ると、容易に判断することができ、封止状態が解除されているか否かを簡単に検知できる。【選択図】  図８
2006075190.tif 000002
【特許請求の範囲】
【請求項１】
遊技に関する制御を行う制御基板が収容される本体と、この本体を覆う蓋体とを有する基板ケースを備えた遊技機において、
前記基板ケースに設けられており、前記本体を前記蓋体が覆った状態で封止する封止手段と、
前記基板ケースの内部に備えられており、第１の位置から第２の位置に移動する移動部材と、
前記移動部材を、前記第１の位置から前記第２の位置に向かって付勢する付勢手段と、
前記移動部材を、前記第１の位置から前記第２の位置に向かって付勢した状態で前記蓋体に固定する固定部材とを備えており、
前記封止手段による前記本体と前記蓋体との封止状態が解除されると、前記固定部材による前記移動部材と前記蓋体との固定が解除され、
前記移動部材が前記第１の位置から前記第２の位置に移動することを特徴とする遊技機。
【請求項２】
前記封止手段は前記基板ケースの外部に突出して設けられており、
前記固定部材は前記封止手段と一体的に突出して形成されていることを特徴とする請求項１に記載の遊技機。
【請求項３】
前記移動部材は、前記移動部材が前記第１の位置にあるときに、前記蓋体の外側に突出する突起部を備えており、
前記移動部材が前記第１の位置から前記第２の位置に移動したときに、前記突起部が前記蓋体の外側に突出する量が減少することを特徴とする請求項１または請求項２に記載の遊技機。
【請求項４】
前記移動部材は、前記移動部材が前記第２の位置にあるときに、前記蓋体の外側に突出する第２の突起部を備えており、
前記移動部材が前記第１の位置から前記第２の位置に移動したときに、前記第２の突起部が前記蓋体の外側に突出する量が増加することを特徴とする請求項１ないし請求項３のいずれか１つに記載の遊技機。
【請求項５】
前記蓋体には、前記移動部材の移動方向と交差する面を有する壁部が設けられており、
前記第２の突起部は、前記第１の位置から前記第２の位置に移動したときに、前記壁部より外側に突出することを特徴とする請求項４に記載の遊技機。
【請求項６】
前記蓋体には、前記第２の突起部の突出方向に前記壁部の外面に沿って形成されており、前記壁部の外面を走査することができる空間が備えられたことを特徴とする請求項５に記載の遊技機。
【請求項７】
前記基板ケースの外部から視認可能な発光体と、
この発光体に発光のための電力を供給する電源とを備えており、
前記発光体は、前記移動部材に取り付けられており、前記基板ケースの外部から視認するときに発光していることを特徴とする請求項１ないし請求項６のいずれか１つに記載の遊技機。
【請求項８】
前記電源が太陽電池であることを特徴とする請求項７に記載の遊技機。
【請求項９】
前記付勢手段は弾性部材であることを特徴とする請求項１ないし請求項８のいずれか１つに記載の遊技機。
【請求項１０】
前記封止手段と前記移動部材とが複数組設けられており、
前記封止手段は、その１つにつき前記本体と前記蓋体との封止を１回のみ行うことができ、その１回のみ行った封止による前記本体と前記蓋体との封止状態が解除されると、再度、同じ封止手段によっては封止することができなくなることを特徴とする請求項１ないし請求項９のいずれか１つに記載の遊技機。
【発明の詳細な説明】
【技術分野】
【０００１】
この発明は、遊技に関する制御を行う制御基板が収容される基板ケースを備えた遊技機に関する。
【背景技術】
【０００２】
遊技機の基板ケースは、本体と、この本体を覆う蓋体とから構成され、基板ケースの内部には、当たりかハズレかの判定などを行う主制御基板など、遊技に関する制御を行う制御基板が収容されている。基板ケースには、制御基板に設けられたＲＯＭ，ＣＰＵ等を不正に交換するような不正行為の防止を目的として、本体と蓋体とを封止する封止手段が設けられている。
従来、この封止手段として、本体および蓋体の接合部位に両者を封止する手段を設けて、開封不能に封止し、封止手段の破壊の有無により、不正行為があったか否かを判断するものが知られている。
ところで、封止手段を不正に破壊した後に、その破壊部位を巧妙に修復することにより隠蔽する事犯も発生するようになった。そこで、封止手段の破壊をより一層視認しやすくする方法が提案されている。例えば、インク類を封止手段内部に封入し、封止手段の破壊に伴って周囲に流出するインク類の付着状態の有無によって破壊の有無を明示する方法がある（特許文献１）。
【０００３】
【特許文献１】特開２００１−３１４６２４号公報（第３−４頁、図５）
【発明の開示】
【発明が解決しようとする課題】
【０００４】
しかし、インク類の付着状態の確認作業は、遊技盤の裏側という照明が十分に行き届きにくい環境下での作業なので、視認されずに見過ごしてしまうおそれがあった。また、確認作業を行う者にとっては、不正発見のための確認作業に時間がかかり、細心の注意が必要となるため、大きな負担となっていた。また、インク類が封止手段の破壊前に封入部から漏れてしまったり、封止手段が破壊してもインク類が視認するために必要な量が流出しなかったりすることがあり、破壊の有無を明確かつ瞬時に判断することができなかった。更に、インク類の漏出、流出による他部品への悪影響等も問題となっていた。
【０００５】
そこで、この発明は、封止状態が解除されているか否かを簡単に検知でき、確実に判断することができる遊技機を実現することを目的とする。
【課題を解決するための手段】
【０００６】
上記目的を達成するために、請求項１に記載の発明では、遊技に関する制御を行う制御基板（１００）が収容される本体（８５）と、この本体を覆う蓋体（８６）とを有する基板ケース（８４）を備えた遊技機（１）において、前記基板ケース（８４）に設けられており、前記本体（８５）を前記蓋体（８６）が覆った状態で封止する封止手段（８７ａ〜８７ｄ、８８ａ〜８８ｄ）と、前記基板ケース（８４）の内部に備えられており、第１の位置から第２の位置に移動する移動部材（１０９ａ〜１０９ｄ）と、前記移動部材（１０９ａ〜１０９ｄ）を、前記第１の位置から前記第２の位置に向かって付勢する付勢手段（１０８ａ）と、前記移動部材（１０９ａ〜１０９ｄ）を、前記第１の位置から前記第２の位置に向かって付勢した状態で前記蓋体（８６）に固定する固定部材（９７ａ〜９７ｄ）とを備えており、前記封止手段（８７ａ〜８７ｄ、８８ａ〜８８ｄ）による前記本体（８５）と前記蓋体（８６）との封止状態が解除されると、前記固定部材（９７ａ〜９７ｄ）による前記移動部材（１０９ａ〜１０９ｄ）と前記蓋体（８６）との固定が解除され、前記移動部材（１０９ａ〜１０９ｄ）が前記第１の位置から前記第２の位置に移動する、という技術的手段を採用する。
【０００７】
請求項２に記載の発明では、請求項１に記載の遊技機（１）において、前記封止手段（８７ａ〜８７ｄ、８８ａ〜８８ｄ）は前記基板ケース（８４）の外部に突出して設けられており、前記固定部材（９７ａ〜９７ｄ）は前記封止手段（８７ａ〜８７ｄ、８８ａ〜８８ｄ）と一体的に突出して形成されている、という技術的手段を採用する。
【０００８】
請求項３に記載の発明では、請求項１または請求項２に記載の遊技機（１）において、前記移動部材（１０９ａ〜１０９ｄ）は、前記移動部材（１０９ａ〜１０９ｄ）が前記第１の位置にあるときに、前記蓋体（８６）の外側に突出する突起部（１０７ａ〜１０７ｄ）を備えており、前記移動部材（１０９ａ〜１０９ｄ）が前記第１の位置から前記第２の位置に移動したときに、前記突起部（１０７ａ〜１０７ｄ）が前記蓋体（８６）の外側に突出する量が減少する、という技術的手段を採用する。
【０００９】
請求項４に記載の発明では、請求項１ないし請求項３のいずれか１つに記載の遊技機（１）において、前記移動部材（１０９ａ〜１０９ｄ）は、前記移動部材（１０９ａ〜１０９ｄ）が前記第２の位置にあるときに、前記蓋体（８６）の外側に突出する第２の突起部（１０７ｅ〜１０７ｈ）を備えており、前記移動部材（１０９ａ〜１０９ｄ）が前記第１の位置から前記第２の位置に移動したときに、前記第２の突起部（１０７ｅ〜１０７ｈ）が前記蓋体（８６）の外側に突出する量が増加する、という技術的手段を採用する。
【００１０】
請求項５に記載の発明では、請求項４に記載の遊技機（１）において、前記蓋体（８６）には、前記移動部材（１０９ａ〜１０９ｄ）の移動方向と交差する面を有する壁部（１０２ｂ）が設けられており、前記第２の突起部（１０７ｅ〜１０７ｈ）は、前記第１の位置から前記第２の位置に移動したときに、前記壁部（１０２ｂ）より外側に突出する、という技術的手段を採用する。
【００１１】
請求項６に記載の発明では、請求項５に記載の遊技機（１）において、前記蓋体には、前記第２の突起部の突出方向に前記壁部（１０２ｂ）の外面に沿って形成されており、前記壁部（１０２ｂ）の外面を走査することができる空間（８６ａ、８６ｂ）が備えられている、という技術的手段を採用する。
【００１２】
請求項７に記載の発明では、請求項１ないし請求項６のいずれか１つに記載の遊技機（１）において、前記基板ケース（８４）の外部から視認可能な発光体（９５ａ〜９５ｄ）と、この発光体（９５ａ〜９５ｄ）に発光のための電力を供給する電源（９６ａ）とを備えており、前記発光体（９５ａ〜９５ｄ）は、前記移動部材（１０９ａ〜１０９ｄ）に取り付けられており、前記基板ケースの外部から視認するときに発光している、という技術的手段を採用する。
【００１３】
請求項８に記載の発明では、請求項７に記載の遊技機（１）において、前記電源（９６ａ）が太陽電池である、という技術的手段を採用する。
【００１４】
請求項９に記載の発明では、請求項１ないし請求項８のいずれか１つに記載の遊技機（１）において、前記付勢手段（１０８ａ）は弾性部材（１０８ａ）である、という技術的手段を採用する。
【００１５】
請求項１０に記載の発明では、請求項１ないし請求項９のいずれか１つに記載の遊技機（１）において、前記移動部材（１０９ａ〜１０９ｄ）と前記封止手段（８７ａ〜８７ｄ、８８ａ〜８８ｄ）とが複数組設けられており、前記封止手段（８７ａ〜８７ｄ、８８ａ〜８８ｄ）は、その１つにつき前記本体（８５）と前記蓋体（８６）との封止を１回のみ行うことができ、その１回のみ行った封止による前記本体（８５）と前記蓋体（８６）との封止状態が解除されると、再度、同じ封止手段によっては封止することができなくなる、という技術的手段を採用する。
なお、上記括弧内の符号は、後述の実施形態において使用する符号に対応するものである。
【発明の効果】
【００１６】
（請求項１に記載の発明の作用）
封止手段による基板ケースの本体と蓋体との封止状態が解除されると、固定部材による移動部材と蓋体との固定が解除され、移動部材が第１の位置から第２の位置に移動する。
【００１７】
（請求項１に記載の発明の効果）
移動部材の位置が、基板ケースの本体と蓋体との封止状態が解除されているか否かで変化するため、封止状態が解除されているか否かを簡単に検知でき、確実に判断することができる遊技機を実現できる。
【００１８】
（請求項２に記載の発明の効果）
固定部材が、基板ケースの外部に、封止手段と一体的に突出して形成されているため、封止手段の破壊とともに固定部材が破壊されやすいので、より確実に封止状態の解除を検知できる。
【００１９】
（請求項３に記載の発明の効果）
移動部材が第１の位置から第２の位置に移動したときに、移動部材が第１の位置にあるときに蓋体の外側に突出する突起部が、蓋体の外側に突出する量が減少するので、突起部が突出する量を視認することで、基板ケースの本体と蓋体との封止状態の解除を簡単に判断することができる。また、突起部が突出する量を視認しづらい場合でも、突起部が突出する量を触って判断することにより、封止状態の解除を確実に判断することができる。
【００２０】
（請求項４に記載の発明の効果）
移動部材が第１の位置から第２の位置に移動したときに、移動部材が第２の位置にあるときに蓋体の外側に突出する第２の突起部が、蓋体の外側に突出する量が増加するので、第２の突起部が突出する量を視認することで、基板ケースの本体と蓋体との封止状態の解除を簡単に判断することができる。また、第２の突起部が突出する量を視認しづらい場合でも、第２の突起部が突出する量を触って判断することにより、封止状態の解除を確実に判断することができる。
【００２１】
（請求項５に記載の発明の効果）
移動部材が第１の位置から第２の位置に移動したときに、第２の突起部が外側に突出する壁部が設けてあるので、突起部が突出する量の変化がより一層視認しやすく、基板ケースの本体と蓋体との封止状態の解除を簡単に判断することができる。
【００２２】
（請求項６に記載の発明の効果）
蓋体には、壁部の外面を走査することができる空間が、第２の突起部の突出方向に壁部の外面に沿って形成されているので、壁部より突出した第２の突起部が突出する量を指などで触って判断することにより、基板ケースの本体と蓋体との封止状態の解除を確実に判断することができる。
【００２３】
（請求項７に記載の発明の効果）
移動部材に取り付けられており基板ケースの外部から視認可能な発光体が、移動部材が第１の位置から第２の位置に移動するのに伴って、発光している状態で移動するため、遊技盤の裏側という照明が十分に行き届きにくい環境下においても、移動部材の移動を確実に視認でき、基板ケースの本体と蓋体との封止状態の解除が一目で判断できる。
【００２４】
（請求項８に記載の発明の効果）
発光体の発光のための電力を供給する電源が太陽電池であるので、該太陽電池に何らかの光が照射された時に発光体に通電するため、遊技機の電源を投入しなくても、封止状態を点検することができる。また、乾電池などと異なり、室内灯などにより発電するため、電池切れのおそれがない。更に、発光体の寿命を長くすることができる。
【００２５】
（請求項９に記載の発明の効果）
付勢手段は弾性部材であるため、簡単な構造で移動手段を付勢することができるので、小さなスペースで配置でき、付勢手段の製造コストも少なくすることができる。
【００２６】
（請求項１０に記載の発明の効果）
封止手段は、その１つにつき本体と蓋体との封止を１回のみ行うことができ、その１回のみ行った封止による本体と蓋体との封止状態が解除されると、再度、同じ封止手段によっては封止することができなくなるため、封止手段の状態によって封止状態の解除の有無が判断できる。
また、封止手段が複数個設けられているので、基板ケースの封止および開封を複数回行うことができる。移動部材が上記した複数個の封止手段に夫々対応して設けられているので、封止状態を解除する度に新たに基板ケースに移動部材を取り付ける手間をなくすことができる。
更に、複数個の移動手段について、突起部の突出状態を比較することができるので、移動部材の移動を検知しやすくなり、基板ケースの本体と蓋体との封止状態をより一層判断しやすくすることができる。また、複数個の移動手段について、ＬＥＤの発光位置を比較することができるので、移動部材の移動を検知しやすくなり、基板ケースの本体と蓋体との封止状態をより一層判断しやすくすることができる。
【発明を実施するための最良の形態】
【００２７】
［パチンコ機１の主要構成］
この発明を実施するための最良の形態では、封止手段を備えた基板ケースを有する遊技機としてパチンコ機を代表に説明する。
まず、この実施形態のパチンコ機の主要構成について図１を参照して説明する。図１は、そのパチンコ機の外観の斜視説明図である。
パチンコ機１には、外殻を構成する外枠２が設けられており、その外枠２にはガラス枠３が開閉可能に取付けられている。ガラス枠３の内側には遊技盤５が設けられており、外枠２の前面右下方には、遊技盤５へ遊技球を発射する発射装置を操作する発射レバー１５ａが回動可能に取付けられている。ガラス枠３の左下方には、賞球や貸球が供給される賞球・貸球供給口６ａが形成されており、その賞球・貸球供給口６ａの供給側には、その賞球・貸球供給口６ａから供給された賞球や貸球を収容する上皿６が設けられている。上皿６の前面には、遊技球の貸出しを行う場合に押す貸出ボタン８１と、図示しないカード挿通口に挿入されているプリペイドカードを返却するために押す返却ボタン８２とが備えられているボタンユニット８０が取付けられている。ボタンユニット８０の下方には、プリペイドカードの残高などを表示する残高表示器９が取付けられている。上皿６の下方には、上皿６の収容可能数を超えて流下した賞球や上皿球抜きレバー６ｂの操作により上皿６から排出された遊技球などを排出する排出口７ａが形成されている。排出口７ａの排出側には、その排出口７ａから排出された遊技球を収容する下受け皿７が設けられている。
【００２８】
［遊技盤５の主要構成および主な遊技］
次に、遊技盤５の主要構成について図２を参照して説明する。図２は、遊技盤５の主要構成を示す正面説明図である。
遊技盤５の略中央には、立体的な構造物であるセンターケース３０が備えられている。センターケース３０には、複数の特別図柄（たとえば、０〜９の数字を表現した図柄）および複数の普通図柄（例えば、○、×）を表示する特別図柄表示装置３２が設けられている。特別図柄表示装置３２は、複数の特別図柄を所定の順序で画面上に表示する（以下、その表示を特別図柄の変動表示という）。変動表示の手法は複数あり、たとえば複数の特別図柄を縦方向に配列した図柄列を画面の横方向３個所の表示領域においてそれぞれ上から下に向けて移動させる手法がある。
センターケース３０の下方には、第１種始動口２７を内部に備えた普通電動役物２８が設けられている。遊技球が第１種始動口２７に入賞すると、特別図柄表示装置３２が特別図柄の変動表示を開始する。また、遊技球が第１種始動口２７に入賞すると、所定個数（たとえば、４個）の賞球が払出される。なお、特別図柄の変動表示中に遊技球が第１種始動口２７に入賞した場合は、その入賞による特別図柄の変動表示が保留され、その保留された変動表示は、現在行われている変動表示終了後に行われる。保留されている数（以下、特別図柄始動記憶数という）は、特別図柄表示装置３２の上部に設けられた特別図柄始動記憶数表示装置３４のＬＥＤの点灯数により表示される。
【００２９】
特別図柄の変動表示開始から所定時間経過すると、各図柄列を所定の順序で停止させ、各表示領域に停止図柄を表示する。そして、各停止図柄が大当り図柄（たとえば、７７７などの同一数字からなるもの）の場合に大当りが発生する。大当りが発生すると、普通電動役物２８の下方に設けられた変動入賞装置４０が作動し、大入賞口開閉部材４３が開放し、大入賞口４１が開口する。そして、大入賞口４１に遊技球が入賞すると、所定個数（たとえば１５個）の賞球が払出される。大入賞口４１が開口してから所定時間（たとえば約３０秒）経過したか、あるいは大入賞口４１への入賞数が所定数（たとえば１０個）に達したかのいずれかの条件が満足されると大入賞口４１が閉口する。大入賞口４１の開口から閉口までを１ラウンドといい、ラウンド中に、大入賞口４１の内部に設けられた特定領域に遊技球が入賞したことを条件として次のラウンドに進むことができ、複数のラウンド（たとえば１６ラウンド）を実行することができる。以下、第１ラウンドから最終ラウンドまでの遊技を大当り遊技という。
【００３０】
遊技球が遊技盤５に設けられた右ゲート２５または左ゲート２６を通過すると特別図柄表示装置３２により普通図柄の変動表示が開始され、当りの普通図柄で停止すると、普通電動役物２８の両翼が開放し、第１種始動口２７への入賞が容易となる。普通図柄の変動表示中に遊技球が右ゲート２５または左ゲート２６を通過した場合は、その通過による普通図柄の変動表示が保留され、その保留された変動表示は、現在行われている変動表示終了後に行われる。保留されている数（以下、普通図柄始動記憶数という）は、特別図柄始動記憶数表示装置３４の左側に設けられた普通図柄始動記憶数表示装置３５のＬＥＤの点灯数により表示される。
【００３１】
また、遊技盤５には、右入賞口２２、左入賞口２３、右下入賞口１４および左下入賞口４４（以下、これらの入賞口を一般入賞口という）が設けられている。一般入賞口に入賞すると所定個数（たとえば、７個）の賞球が払出される。
その他遊技盤５には、風車２４、発射された遊技球を遊技領域へ案内する案内レール１６、遊技盤５の上方角部を装飾するコーナー飾り１１、側部を装飾するサイド飾り２０、どこにも入賞しなかった遊技球をアウト球として回収するアウト口４５などが設けられている。遊技盤５の盤面には、多くの遊技釘２１が打ち込まれており、発射された遊技球は遊技釘に衝突することによって流下方向が変化し、入賞口に入賞したり、右ゲート２５または左ゲート２６を通過したりする。
【００３２】
［パチンコ機１の電気的構成］
次に、パチンコ機１の主な電気的構成についてそれをブロックで示す図３を参照して説明する。
パチンコ機１には、主制御基板１００が設けられており、その主制御基板１００には、マイクロプロセッサ１１０が搭載されている。主制御基板１００は、後述する本発明の要部に係る基板ケース８４に収容される。マイクロプロセッサ１１０は、メインＣＰＵ１１２と、ＲＯＭ１１４と、ＲＡＭ１１６とを備える。メインＣＰＵ１１２は、入賞の発生の検知、入賞数の演算、払出個数の監視、払出すべき賞球数と実際に払出された賞球数との誤差の演算、誤差の演算結果に基づくエラー報知、大当りかハズレかの判定（以下、大当り判定という）、特別図柄の変動表示内容の決定など、遊技の進行および遊技状態の変更に必要な主な制御および処理を行う。
ＲＯＭ１１４には、メインＣＰＵ１１２が各種制御などを実行するための各種制御プログラム、制御プログラム実行時に参照する各種テーブルなどが記録されている。ＲＡＭ１１６は、メインＣＰＵ１１２の処理結果などの遊技中に発生する各種データ、ＲＯＭ１１４から読出された制御プログラムなどを一時的に格納し、電源遮断時に停電直前の遊技状態を示すデータなどをバックアップして記憶するバックアップ領域を備える。
【００３３】
主制御基板１００には、次に記載するものが電気的に接続されている。遊技球が第１種始動口２７に入賞したことを検知する第１種始動口スイッチ（ＳＷ）２７ａ、特別図柄表示装置３２を制御する図柄制御基板３２ａ、遊技中に発生する効果音を制御する音声制御基板７９、ＬＥＤやランプ類などの発光部材の点灯・点滅を制御するランプ制御基板３００、電源基板７１、賞球および貸球の払出しなどを制御する払出制御基板２００、大当りの発生や賞球払出数などに関する遊技盤情報をパチンコホールの管理室などに設けられたホールコンピュータへ送信するための遊技枠情報端子基板５２、盤面中継基板５１、遊技枠中継基板５３である。
【００３４】
払出制御基板２００には、主制御基板１００から送信されてくる賞球コマンドなどを受信するマイクロプロセッサ２１０が搭載されており、マイクロプロセッサ２１０には、賞球および貸球の払出しなどの制御を実行するサブＣＰＵ２１２と、このサブＣＰＵ２１２が賞球および貸球の払出しなどの制御を実行するための各種制御プログラムが記録されたＲＯＭ２１４と、メインＣＰＵ１１２から送信された賞球コマンドにより示される賞球数やサブＣＰＵ２１２が各種制御プログラムを実行する際にＲＯＭ２１４から読出された制御プログラムなどを一時的に格納するＲＡＭ２１６とが搭載されている。また、ＲＡＭ２１６は、電源遮断時に、入賞数や未払いの賞球数などを示すデータをバックアップして記憶するバックアップ領域を備える。
また、払出制御基板２００には、電源基板７１、発射モータ１５ｅを駆動するための発射モータ駆動基板１５ｃ、遊技枠情報端子基板５２および払出中継基板５５が電気的に接続されている。発射モータ駆動基板１５ｃには、発射モータ駆動基板１５ｃから発射モータ１５ｅへ駆動信号を出力させるための発射スイッチ（ＳＷ）１５ｄが電気的に接続されている。
【００３５】
遊技枠中継基板５３には、下受け皿７が遊技球で満杯になったことを検知する下皿満杯検知スイッチ（ＳＷ）７２、賞球切れを検知する賞球切れ検出スイッチ（ＳＷ）７３およびセンサ中継基板５４が電気的に接続されている。センサ中継基板５４は、払出装置６２に備えられた前部払出センサ６２ａ、後部払出センサ６２ｂおよび払出中継基板５５と電気的に接続されている。払出中継基板５５には、貸球切れを検知する貸球切れ検出スイッチ（ＳＷ）６１および払出モータ６２ｃが電気的に接続されている。
盤面中継基板５１には、普通電動役物２８の両翼を開閉駆動する普通電動役物ソレノイド（ＳＬ）２８ａ、右ゲート２５を通過した遊技球を検知する右ゲートスイッチ（ＳＷ）２５ａ、左ゲート２６を通過した遊技球を検知する左ゲートスイッチ（ＳＷ）２６ａ、大入賞口４１に入賞した遊技球を検知する大入賞口スイッチ（ＳＷ）４１ａ、右入賞口２２に入賞した遊技球を検知する右入賞口スイッチ（ＳＷ）２２ａ、左入賞口２３に入賞した遊技球を検知する左入賞口スイッチ（ＳＷ）２３ａ、右下入賞口１４に入賞した遊技球を検知する右下入賞口スイッチ（ＳＷ）１４ａ、左下入賞口４４に入賞した遊技球を検知する左下入賞口スイッチ（ＳＷ）４４ａ、大入賞口中継基板５０が電気的に接続されている。
【００３６】
大入賞口中継基板５０には、特定領域を通過した遊技球を検知する特定領域スイッチ（ＳＷ）４２ａと、遊技球を特定領域へ案内する状態と案内しない状態とに変化する部材を動作させる特定領域ソレノイド（ＳＬ）４２ｂと、大入賞口開閉部材４３を開閉動作させる大入賞口ソレノイド（ＳＬ）４１ｂとが電気的に接続されている。電源基板７１は、ＣＲ接続基板５６と電気的に接続されており、ＣＲ接続基板５６には、残高表示器９に残り度数を表示するための回路が搭載された度数表示基板５７が電気的に接続されている。度数表示基板５７には、貸出ボタン８１と、返却ボタン８２と、貸出ボタンランプ８３とが電気的に接続されている。
電源基板７１は、ＡＣ２４Ｖ（５０Ｈｚ／６０Ｈｚ）の主電源７０から電源の供給を受け、各基板および装置へ動作電源を供給する。図示しないが、電源基板７１には、パチンコ機１の電源のＯＮ・ＯＦＦを行う電源スイッチ（ＳＷ）と、ＲＡＭ１１６，２１６のバックアップ領域に記憶されているデータをクリアするためのＲＡＭクリアスイッチとが設けられている。
【００３７】
［基板ケースの構造］
次に、基板ケースの構造について図４ないし図９を参照して説明する。図４は、パチンコ機１の裏面側から見た基板ケースの説明図である。図５は、基板ケースの封止部材近傍の斜視説明図である。図６は、移動部材の斜視説明図である。図７は、移動部材が取り付けられた封止部材近傍の斜視説明図である。図８（Ａ）は、固定部材が破壊していない場合の移動部材の説明図であり、図８（Ｂ）は、固定部材が破壊した場合の移動部材の説明図である。図９（Ａ）は、固定部材が破壊していない場合の突起部の突出状態およびＬＥＤの発光状態の説明図であり、図９（Ｂ）は、固定部材が破壊した場合の突起部の突出状態およびＬＥＤの発光状態の説明図である。
【００３８】
基板ケース８４は、パチンコ機１の裏面に設けられており、図４に示すように、主制御基板１００を収容する本体８５と、その本体８５を被覆する蓋体８６と、この両者を右側面において封止する右側封止部材８７ａ〜８７ｄと、左側面において封止する左側封止部材８８ａ〜８８ｄとを有する。
本体８５は、透光性を有する材料、例えば、アクリルなどの透明な合成樹脂材料により上面が開口した箱状に形成されており、その底面には主制御基板１００が固定されている。
蓋体８６は、本体８５同様の材料により下面が開口した箱状に形成されており、その開口部の外周形状は、本体８５の開口部の外周形状と略同一である。また、蓋体８６の開口部の内側面には、本体８５の開口部の内側面に当接し、位置決めするための図示しないガイド部が設けられており、本体８５と蓋体８６とは開口部の周縁同士が合わさって一体的に位置決めされる。
蓋体８６の中央には、主制御基板１００を収納する箱状の主制御基板収納部１０１が設けられている。また、蓋体８６には、右側封止部材８７ａ〜８７ｄの左側方に隣接して、移動部材１０９ａ〜１０９ｄを左右方向に移動可能に収容する右移動部材収納部１０２が設けられており、左側封止部材８８ａ〜８８ｄの右側方に隣接して、４個の移動部材を左右方向に移動可能に収容する左移動部材収納部１０３が設けられている。右移動部材収納部１０２と左移動部材収納部１０３は同じ構成であるので、右移動部材収納部１０２についてのみ説明する。
右移動部材収納部１０２は、蓋体８６の右側面１０２ａから主制御基板収納部１０１側に向かって、上方に凸で下方が開放された箱状に形成されている。右移動部材収納部１０２には、下方の開放部を下方から覆い、移動部材１０９ａ〜１０９ｄを保持するためのガイド部材１０２ｄ（図８）が取り付けられている。ガイド部材１０２ｄの上面には、移動部材１０９ａ〜１０９ｄに対応して、４つの図示しないガイド溝がそれぞれ形成されている。ガイド溝は、垂下部１０６ａおよびバネガイド部材１２０ａ（図６）の幅よりわずかに広く左右方向に形成された凹部であり、移動部材１０９ａ〜１０９ｄが移動するときに、所定の移動位置に案内する。
【００３９】
主制御基板収納部１０１と右移動部材収納部１０２との間には、蓋体８６を上面から見たときに、主制御基板収納部１０１の右側面１０１ａおよび右移動部材収納部１０２の左壁部１０２ｂの左側面１０２ｃに沿って、縦断面が凹形状の右溝部８６ａが設けられている。同様に、主制御基板収納部１０１と左移動部材収納部１０３との間には、蓋体８６を上面から見たときに、主制御基板収納部１０１の左側面１０１ｂおよび左移動部材収納部１０３の右壁部１０３ｂの右側面１０３ｃに沿って、縦断面が凹形状の左溝部８６ｂが形成されている。
本実施形態では、右溝部８６ａと左溝部８６ｂとは、それぞれ指で走査可能な大きさに形成されており、右移動部材収納部１０２の左壁部１０２ｂの左側面１０２ｃと、左移動部材収納部１０３の右壁部１０３ｂの右側面１０３ｃとをそれぞれ指で触ることができる。
【００４０】
蓋体８６は、左右２箇所の角部に設けられた固定部８９ａ、８９ｂと左右２箇所に設けられた右側封止部材８７ａ〜８７ｄおよび左側封止部材８８ａ〜８８ｄとで本体８５と固定される。蓋体８６の上面には、パチンコ機の型式、製造者などを記入した型式名・製造者名記入票５８と、基板管理番号、公的機関による基板開封履歴などを記入した基板開封履歴シール５９とが貼付されている。    
基板ケース８４の内部右下には、コネクタ取り付け領域６０ａが設けられており、内部上方には、コネクタ取り付け領域６０ｂが設けられている。コネクタ取り付け領域６０ａ、６０ｂには、基板ケース８４の内部と外部とにまたがったコネクタがそれぞれ設けられており、本体８５と蓋体８６とが封止された状態で、主制御基板１００が上記コネクタを介して基板ケース８４の外部の配線に接続されている。
なお、右側封止部材８７ａ〜８７ｄと左側封止部材８８ａ〜８８ｄとは、同じ構成であるので、以下では右側封止部材８７ａ〜８７ｄについてのみ説明する。
【００４１】
［右側封止部材の構造］
４組の右側封止部材８７ａ〜８７ｄは、基板ケース８４の右側面に沿って所定間隔毎に並んで設けられている。図５に示すように、右側封止部材８７ａは、右移動部材収納部１０２に設けられている連結部材９１ａと、本体８５に設けられており、連結部材９１ａと連結される結合部材９２ａと、連結部材９１ａと結合部材９２ａとを結合して基板ケース８４を封止状態にするための封止ネジ９０ａとから構成される。
【００４２】
連結部材９１ａは、封止を解除する際に切断する１組の切断部９１ｅ、９１ｅと、封止ネジ９０ａの頭部によって結合部材９２ａに係止されるためのネジ止め部９１ｐとから構成される。各切断部９１ｅは、それぞれ蓋体８６の右側面から突出して設けられており、各切断部間には、封止ネジ９０ａの頭部が通過可能な空間が形成されている。各切断部９１ｅは、ニッパなどの工具によって破断可能な形状および大きさに形成されている。この実施形態では、各切断部９１ｅは、蓋体８６の右側面から右下方に向かって円弧を描く縦断面略扇形の板状にそれぞれ形成されている。図７に示すように、一方の切断部９１ｅには、固定ピン９４ａを挿通するためのピン孔９１ｓが設けられている。ピン孔９１ｓは、固定部材９７ａを挿通口９３ａから挿入したときに、固定部材９７ａの固定ピン挿通孔９７ｅと対応する位置に設けられている。
【００４３】
図５および図７に示すように、ネジ止め部９１ｐは、横断面円環状に形成されており、封止ネジ９０ａを挿通する孔部が上下方向に貫通形成されている。また、その孔部の底部には、封止ネジ９０ａの頭部の下面によって係止されるためのつば部が内周壁から中心に張り出して形成されている。各切断部９１ｅの下端とネジ止め部９１ｐの上端とは、一体的に結合されている。
図５に示すように、結合部材９２ａの内部には、封止ネジ９０ａをねじ込むことによりネジ溝が形成されるネジ下孔が上下方向に貫通形成されている。また、結合部材９２ａは、蓋体８６を本体８５に被せたときにネジ止め部９１ｐの直下に位置するように設けられており、ネジ止め部９１ｐの孔部は、結合部材９２ａのネジ下孔と連通する。
封止ネジ９０ａ〜９０ｄ（図４）は、締め付け方向にのみ回転させることができるワンウェイネジであり、一旦締め付けると取り外すことはできない。
【００４４】
［移動部材の構造］
右移動部材収納部１０２の内部には、右側封止部材８７ａ〜８７ｄに対応して、移動部材１０９ａ〜１０９ｄが左右方向に変位可能に設けられている。移動部材１０９ａについては、後述する固定部材９７ａが切断部９１ｅとともに切断された状態を示している（図５）。
ここで、移動部材１０９ａ〜１０９ｄは同一の構成であるので、移動部材１０９ａを例に説明する。なお、以下の説明においては、基板ケース８４の蓋体８６側を上方、本体８５側を下方とする。
図６に示すように、移動部材１０９ａには、角板状の基板部１０４ａと、基板部１０４ａの右側端部から上方に立設された板状の立上り部１０５ａと、基板部１０４ａの右側端部から下方に向かって設けられ、バネ挿通孔１２０ｅを備えた板状のバネガイド部材１２０ａと、基板部１０４ａの左側端部から上方に立設された板状の立上り部１０５ｅと、基板部１０４ａの左側端部から下方に向かって設けられた板状の垂下部１０６ａとが備えられている。
【００４５】
基板部１０４ａには、ＬＥＤ９５ａとＬＥＤ９５ａの電源である太陽電池９６ａとが、図示しない電気回路で接続されて、右から並んで取り付けられている。パチンコ機１の裏面を開放すると、ＬＥＤ９５ａが、室内灯からの光で蓄電された太陽電池９６ａにより電流が送られて点灯する。この実施形態では、電気回路はエッチングにより形成されている。
ここで、電源が太陽電池９６ａなので、該太陽電池９６ａに何らかの光が照射された時にだけＬＥＤ９５ａに通電されるため、パチンコ機１の電源を投入しなくても、封止状態を点検することができる。また、ＬＥＤ９５ａの寿命が長くなるとともに、乾電池のように電池切れを起こす心配がない。
【００４６】
立上り部１０５ａには、移動部材１０９ａの移動に伴って一体的に移動することにより移動部材１０９ａの移動を明示するための突起部１０７ａが、右方向に突出して設けられている。また、立上り部１０５ａには、移動部材１０９ａを蓋体８６に固定するための固定部材９７ａが、突起部１０７ａより下方から右方向に突出して設けられている。固定部材９７ａには、固定ピン９４ａを挿通するための固定ピン挿通孔９７ｅが、水平方向かつ突起部１０７ａが突出する方向に略垂直方向に貫通形成されている。
図７に示すように、突起部１０７ａは、固定部材９７ａを切断部９１ｅに固定したときに、切断部９１ｅより上方になるように設けられている。
立上り部１０５ｅには、移動部材１０９ａの移動に伴って一体的に移動することにより移動部材１０９ａの移動を明示するための突起部１０７ｅが、左方向に突出して設けられている。
【００４７】
図７に示すように、右移動部材収納部１０２の右側面１０２ａには、突起部１０７ａが突出する突起部挿通口９８ａが貫通形成されている。また、左壁部１０２ｂの左側面１０２ｃには、移動部材１０９ａが左方向に移動したときに突起部１０７ｅが突出する突起部挿通口９９ａが貫通形成されている。
右移動部材収納部１０２の右側面１０２ａには、固定部材９７ａを挿通して移動部材１０９ａを夫々切断部９１ｅに接して位置決めするための挿通口９３ａが切断部９１ｅに隣接して貫通形成されている。
固定部材９７ａの先端部は蓋体８６の外側に突出しており、固定部材９７ａの固定ピン挿通孔９７ｅと、切断部９１ｅのピン孔９１ｓとは同一直線上になるように配置されている。固定部材９７ａは、固定ピン９４ａを固定ピン挿通孔９７ｅとピン孔９１ｓとに挿通することにより、切断部９１ｅに固定されている。
移動部材１０９ａを付勢し移動させるためのコイルバネ１０８ａは、コイルバネ１０８ａの直径よりわずかに大きく形成されたバネ挿通孔１２０ｅに挿通され、垂下部１０６ａの右側面と右移動部材収納部１０２の右側面１０２ａの内壁との間に圧縮された状態で挟み込まれている。移動部材１０９ａは、コイルバネ１０８ａにより左方向へ付勢されている。バネという簡単な構造体で移動部材１０９ａを付勢することができるので、付勢手段を小さなスペースで配置でき、付勢手段の製造コストも少なくすることができる。なお、コイルバネは移動部材１０９ｂ〜１０９ｄに対しても、それぞれ１つずつ設けられている。
固定部材９７ａにより移動部材１０９ａを所定の位置（第１の位置）に固定した後に、右移動部材収納部１０２の下方の開放部にガイド部材１０２ｄ（図８）を取り付けることにより、移動部材１０９ａは、垂下部１０６ａおよびバネガイド部材１２０ａが右移動部材収納部１０２のガイド部材１０２ｄ（図８）に起立した状態で保たれる。
【００４８】
この実施形態では、固定部材９７ａ〜９７ｄは角柱状に、突起部１０７ａ、１０７ｅは先端が半球状に形成されている。また、固定ピン９４ａとして割りピンが用いられており、固定ピン９４ａは固定ピン挿通孔９７ｅからピン孔９１ｓに挿通された後、その先端部が図７に図示した左右の矢印方向に開かれて脱落不能とされることにより、固定部材９７ａが切断部９１ｅに固定される。
【００４９】
［本体８５と蓋体８６との封止および封止状態の解除］
図５に示すように、基板ケース８４は、蓋体８６に移動部材１０９ａ〜１０９ｄを固定した状態で、右側封止部材８７ａにおいてネジ止め部９１ｐと結合部材９２ａとを対向させて、蓋体８６を本体８５に被せて組み合わせ、封止ネジ９０ａをネジ止め部９１ｐに挿入し、結合部材９２ａにねじ込むことにより封止される。左側封止部材８８ｄについても同様な手順で封止される。ここで、封止ネジ９０ａはワンウェイネジであり、一旦締め付けると取り外すことはできないため、右側封止部材８７ａおよび左側封止部材８８ｄを破壊せずに封止状態を解除することはできない。
【００５０】
右側封止部材８７ａ〜８７ｄおよび左側封止部材８８ａ〜８８ｄはそれぞれにおいて封止可能であるが、通常は、左右の封止部材をそれぞれ１箇所のみ封止する。基板ケース８４は点検等のために開封する場合があるが、左右の封止部材をそれぞれ１箇所のみ封止するようにしておけば、各封止部材の封止されている箇所の切断部を切断して開封し、点検等の後に残った未使用の封止部材を用いて封止することができる。封止部材は左右に４個１組でそれぞれ設けてあるので、最大４回までの封止および開封が可能である。この実施形態では、図４に示すように、右側封止部材８７ａおよび左側封止部材８８ｄの２箇所のみが封止されている。
封止した箇所以外の封止ネジ９０ｂ〜９０ｄは、紛失を避けるために、それぞれ対応する結合部材の内部に設けられた図示しない収納部に収納されている。
【００５１】
切断部９１ｅ及び固定部材９７ａが破壊されておらず、基板ケース８４の本体８５と蓋体８６との封止状態が保たれている場合は、図８（Ａ）に示すように、右側の突起部１０７ａは右移動部材収納部１０２の右側面１０２ａから蓋体８６の外側に突出している。一方、左側の突起部１０７ｅは蓋体８６の内部に引っ込んでいる。また、ＬＥＤ９５ａは、右移動部材収納部１０２の内部の右側で点灯している。
【００５２】
右側封止部材８７ａによる基板ケース８４の本体８５と蓋体８６との封止状態を解除し、開封可能にするためには、図５および図８（Ｂ）に示すように、右側封止部材８７ａの連結部材９１ａの切断部９１ｅ、９１ｅをニッパ等の工具によって切断する。切断部９１ｅ、９１ｅを切断することで、右側封止部材８７ａのネジ止め部９１ｐが蓋体８６から分断され、蓋体８６を本体８５から外すことができる。
ここで、固定部材９７ａは切断部９１ｅに接して固定されているため、すなわち、図７に示す状態で切断部９１ｅを切断するためには固定部材９７ａも併せて切断せざるをえないように設けられているため、ニッパ等の工具によって切断部９１ｅを切断するときに、固定部材９７ａも切断部９１ｅとともに切断される。
基板ケース８４を不正に開封しようとする者が、固定部材９７ａの存在に気づき、固定部材９７ａの破壊を回避しようとしても、固定部材９７ａは切断部９１ｅに接して固定されているため、不正な開封を未然に防止できる。
【００５３】
切断部９１ｅの破壊と共に固定部材９７ａが破壊され、図８（Ｂ）に示すように、基板ケース８４の本体８５と蓋体８６との封止状態が解除された場合は、移動部材１０９ａは、コイルバネ１０８ａによって左方向に付勢されているため、左方向へ移動する。このとき、コイルバネ１０８ａはバネガイド部材１２０ａに案内されながら左方向に伸びるため、垂下部１０６ａおよびバネガイド部材１２０ａの下端部が右移動部材収納部１０２のガイド部材１０２ｄの凹部に沿って左方向に水平移動し、移動部材１０９ａは立上がり部１０５ｅが左壁部１０２ｂの内側面に当接する位置で停止する（第２の位置）。
移動部材１０９ａが左方向に移動すると、蓋体８６の外側に突出していた突起部１０７ａは、右移動部材収納部１０２の右側面１０２ａから蓋体８６の内部に引っ込み、突出しなくなる。突起部１０７ａの突出の有無は、右側面１０２ａを指で触ると、容易に判断することができる。
一方、立上がり部１０５ｅに設けられている突起部１０７ｅは、右移動部材収納部１０２の左壁部１０２ｂの左側面１０２ｃから蓋体８６の外側に突出する。突起部１０７ｅの突出の有無は、右溝部８６ａを走査して左壁部１０２ｂの左側面１０２ｃを指で触ると、容易に判断することができる。
また、ＬＥＤ９５ａは、点灯した状態で、右移動部材収納部１０２の内部の右側から左方に移動し、右移動部材収納部１０２のやや中央寄りで点灯する。
【００５４】
このように、切断部９１ｅおよび固定部材９７ａが破壊され、基板ケース８４の本体８５と蓋体８６との封止状態が解除されると、移動部材１０９ａが、切断部９１ｅに固定されている状態の第１の位置から、左方の第２の位置に移動するため、突起部１０７ａは突出している状態から突出しない状態に変化するので、封止状態の解除の有無を触覚によって容易に判断できる。左側の突起部１０７ｅは、突出しない状態から突出している状態に変化するため、封止状態の解除の有無を触覚によって容易に判断できる。また、封止状態の解除の有無は、突起部１０７ａ、１０７ｅの位置から、視覚によっても容易に判断できる。
また、ＬＥＤ９５ａの点灯位置が右から左に移動するため、封止状態の解除の有無を視覚によって容易に判断できる。
【００５５】
ここで、図９（Ａ）に示すように、基板ケース８４の本体８５と蓋体８６とが封止された状態で、突起部１０７ａ〜１０７ｄがすべて右側面１０２ａから突出するように移動部材１０９ａ〜１０９ｄを配置することが望ましい。このように配置すると、封止状態が解除されたときは、図９（Ｂ）に示すように、移動部材１０９ａの移動に伴い、突起部１０７ａのみが右側面１０２ａから突出しなくなり、他の突起部１０７ｂ〜１０７ｄは突出するため、右側面１０２ａを指で触ると、突起部１０７ａが移動したことを容易に判断することができる。また、左壁部１０２ｂの左側面１０２ｃから外側には、突起部１０７ｅのみが突出し、他の突起部１０７ｆ〜１０７ｈは突出していない。そのため、指で右溝部８６ａを走査して左壁部１０２ｂの左側面１０２ｃを触ると、突起部１０７ｅが移動したことを容易に判断することができる。
つまり、移動部材１０９ａの移動を、突起部１０７ａと他の突起部１０７ｂ〜１０７ｄとの突出状態の差および突起部１０７ｅと他の突起部１０７ｆ〜１０７ｈとの突出状態の差で判断できるので、基板ケース８４の本体８５と蓋体８６との封止状態をより一層判断しやすくすることができる。
また、基板ケース８４の本体８５と蓋体８６とが封止された状態において、ＬＥＤ９５ａ〜９５ｄは同一直線状に配置されていることが望ましい。つまり、封止状態が解除されたときには、図９（Ｂ）に示すように、移動部材１０９ａの移動に伴い、ＬＥＤ９５ａのみが左方に移動し、移動部材１０９ａの移動をＬＥＤ９５ａと他のＬＥＤ９５ｂ〜９５ｄとの位置関係で判断できるので、基板ケース８４の本体８５と蓋体８６との封止状態をより一層判断しやすくすることができる。
【００５６】
［発明を実施するための最良の形態による効果］
（１）以上のように、上記最良の形態のパチンコ機１を使用すれば、移動部材１０９ａ〜１０９ｄの位置が、基板ケース８４の本体８５と蓋体８６との封止状態が解除されているか否かで変化するため、封止状態が解除されているか否かを簡単に検知でき、確実に判断することができるパチンコ機１を実現できる。
【００５７】
（２）固定部材９７ａ〜９７ｄが、基板ケース８４の外部に、切断部９１ｅ〜９１ｈと接するように一体的に突出して形成されているため、切断部９１ｅ〜９１ｈの破壊とともに固定部材９７ａ〜９７ｄが破壊されやすいので、より確実に封止状態の解除を検知できる。
【００５８】
（３）移動部材１０９ａ〜１０９ｄが封止状態で固定されていた位置（第１の位置）から左方向（第２の位置）に移動したときに、突起部１０７ａ〜１０７ｄが右移動部材収納部１０２の右側面１０２ａから蓋体８６の内部に引っ込むので、突起部１０７ａ〜１０７ｄが突出しているか否かを視認することで、基板ケース８４の本体８５と蓋体８６との封止状態の解除を簡単に判断することができる。また、突起部１０７ａ〜１０７ｄが突出しているか否かを視認しづらい場合でも、突起部１０７ａ〜１０７ｄが突出する量を触って判断することにより、封止状態の解除を確実に判断することができる。
【００５９】
（４）右移動部材収納部１０２には、突起部１０７ｅ〜１０７ｈが外側に突出する左壁部１０２ｂが設けてあり、移動部材１０９ａ〜１０９ｄが基板ケース８４の本体８５と蓋体８６とが封止された状態で固定されていた位置（第１の位置）から左方向（第２の位置）に移動したときに、突起部１０７ｅ〜１０７ｈが、左壁部１０２ｂの左側面１０２ｃから蓋体８６の外側に突出するので、突起部１０７ｅ〜１０７ｈが突出しているか否かを視認することで、基板ケース８４の本体８５と蓋体８６とが封止解除されているかを簡単に判断することができる。
【００６０】
（５）蓋体８６には、左壁部１０２ｂの左側面１０２ｃを走査することができる右溝部８６ａが、右移動部材収納部１０２の左壁部１０２ｂの左側面１０２ｃに沿って形成されているので、左壁部１０２ｂの左側面１０２ｃより突出した突起部１０７ｅ〜１０７ｈを指などで触って判断することにより、基板ケース８４の本体８５と蓋体８６との封止解除されているかを確実に判断することができる。
【００６１】
（６）移動部材１０９ａ〜１０９ｄに取り付けられており基板ケース８４の外部から視認可能なＬＥＤ９５ａ〜９５ｄが、移動部材１０９ａ〜１０９ｄの移動に伴って発光している状態で移動するため、遊技盤１の裏側という照明が十分に行き届きにくい環境下においても、移動部材１０９ａ〜１０９ｄの移動を確実に視認でき、基板ケース８４の本体８５と蓋体８６との封止状態の解除が一目で判断できる。
【００６２】
（７）ＬＥＤ９５ａの発光のための電力を供給する電源が太陽電池９６ａであるので、該太陽電池９６ａに何らかの光が照射された時に発光体に通電するため、パチンコ機１の主電源７０を投入しなくても、封止状態を点検することができる。また、乾電池などと異なり、室内灯などにより発電するため、電池切れのおそれがない。更に、ＬＥＤ９５ａの寿命を長くすることができる。
【００６３】
（８）移動部材１０９ａを付勢する手段が、コイルバネ１０８ａであるため、簡単な構造で移動部材１０９ａを付勢することができるので、小さなスペースで配置でき、付勢手段の製造コストも少なくすることができる。
【００６４】
（９）右側封止部材８７ａ〜８７ｄおよび左側封止部材８８ａ〜８８ｄはそれぞれ４個ずつ設けられているので、基板ケース８４の封止および開封を４回行うことができる。また、移動部材１０９ａ〜１０９ｄは右側封止部材８７ａ〜８７ｄ毎に４組設けられているので、基板ケース８４の本体８５と蓋体８６との封止状態を解除する度に新たに基板ケース８４に移動部材を取り付ける手間をなくすことができる。
移動部材１０９ａの移動を、移動した移動部材１０９ａに設けられた突起部１０７ａが蓋体８６の内部に引っ込んだか否か、あるいは、突起部１０７ｅが蓋体８６から突出したか否かにより判断できるので、基板ケース８４の本体８５と蓋体８６との封止状態をより一層判断しやすくすることができる。更に、ＬＥＤ９５ｂ〜９５ｄが故障により発光しない場合であっても、封止状態を判断することができる。
また、移動部材１０９ａの移動を、移動した移動部材１０９ａに設けられたＬＥＤ９５ａと、他の移動部材１０９ｂ〜１０９ｄに設けられたＬＥＤ９５ｂ〜９５ｄとの位置関係で判断できるので、基板ケース８４の本体８５と蓋体８６との封止状態をより一層判断しやすくすることができる。
【００６５】
（その他の実施形態）
（１）前述した最良の形態においては、固定部材９７ａを切断部９１ｅに接して設ける方法を採用したが、これに限定する必要はない。つまり、切断部９１ｅを切断するためには固定部材９７ａを共に切断せざるをえない構成であれば他の構成でもよく、例えば、切断部９１ｅと固定部材９７ａとを一体的に形成した構成でもよい。この構成を使用した場合でも、前述した最良の形態の効果を奏することができる。
【００６６】
（２）発光体は、ＬＥＤの他、電球など他の発光体を用いてもよい。この構成を使用した場合でも、電源として太陽電池を採用しているので、発光体として比較的寿命の短い電球等を用いても、長時間使用することができ、前述した最良の形態の効果を奏することができる。
【００６７】
（３）電源は、太陽電池の他、乾電池、遊技機からの電源供給など、他の電源を用いてもよい。この構成を使用した場合でも、前述した最良の形態の（１）〜（６）、（８）および（９）の効果を奏することができる。
【００６８】
（４）移動部材は、ＬＥＤを備えていれば、突起部を備えていなくてもよい。この構成を使用した場合でも、前述した最良の形態の（１）、（２）および（６）〜（９）の効果を奏することができる。
【００６９】
（５）移動部材は、突起部を備えていれば、ＬＥＤを備えていなくてもよい。また、突起部は、基板部１０４ａに設けられた１対の立上がり部１０５ａ、１０５ｅのうち一方にのみ備えられていてもよい。この構成を使用した場合でも、前述した最良の形態の（１）〜（５）および（８）〜（９）の効果を奏することができる。
【００７０】
（６）突起部は、突出する量の変化がわかれば、蓋体８６の外側に突出したままでもよい。この構成を使用した場合でも、前述した最良の形態の効果を奏することができる。
【００７１】
（７）挿通口９３ａから外部に突出している固定部材９７ａの先端部分に、切り込みを形成してもよい。より小さな力で固定部材９７ａを破壊させることができるため、切断部９１ｅを破壊したときに、より確実に固定部材９７ａを破壊させることができる。また、この構成を使用した場合にも、前述した最良の形態の効果を奏することができる。
【００７２】
（８）この発明は、基板ケース８４に封止手段を備えた遊技機であれば、パチンコ機の他、スロットマシンなど、他の遊技機にも適用することができる。この構成を使用した場合でも、前述した最良の形態の効果を奏することができる。
【００７３】
（９）移動部材１０９ａを移動方向に付勢する手段としては、コイルバネ１０８ａの他、板バネ、ゴムなど、他の弾性部材を用いてもよい。この構成を使用した場合でも、前述した最良の形態の効果を奏することができる。
【００７４】
（１０）基板ケース８４に格納される基板は、主制御基板１００の他、払出制御基板２００など他の基板でもよい。この構成を使用した場合でも、前述した最良の形態の効果を奏することができる。
【００７５】
［各請求項と実施形態との対応関係］
（請求項１）
パチンコ機１が遊技機に、主制御基板１００が制御基板に、右側封止部材８７ａ〜８７ｄおよび左側封止部材８８ａ〜８８ｄが封止手段に、コイルバネ１０８ａが付勢手段にそれぞれ対応する。
（請求項４）
突起部１０７ｅ〜１０７ｈが第２の突起部に対応する。
（請求項５）
左壁部１０２ｂが壁部に対応する。
（請求項６）
右溝部８６ａおよび左溝部８６ｂが空間に対応する。
（請求項７）
ＬＥＤ９５ａ〜９５ｄが発光体に、太陽電池９６ａが電源にそれぞれ対応する。
（請求項９）
コイルバネ１０８ａが弾性部材に対応する。
【図面の簡単な説明】
【００７６】
【図１】パチンコ機１の外観の斜視説明図である。
【図２】遊技盤５の主要構成を示す正面説明図である。
【図３】パチンコ機１の主な電気的構成をブロックで示す説明図である。
【図４】パチンコ機１の裏面側から見た基板ケースの説明図である。
【図５】基板ケースの封止部材近傍の斜視説明図である。
【図６】移動部材の斜視説明図である。
【図７】移動部材が取り付けられた封止部材近傍の斜視説明図である。
【図８】図８（Ａ）は、固定部材が破壊していない場合の移動部材の説明図であり、図８（Ｂ）は、固定部材が破壊した場合の移動部材の説明図である。
【図９】図９（Ａ）は、固定部材が破壊していない場合の突起部の突出状態およびＬＥＤの発光状態の説明図であり、図９（Ｂ）は、固定部材が破壊した場合の突起部の突出状態およびＬＥＤの発光状態の説明図である。
【符号の説明】
【００７７】
１    パチンコ機（遊技機）
８４    基板ケース
８５    本体
８６    蓋体
８６ａ  右溝部（空間）
８６ｂ  左溝部（空間）
８７ａ〜８７ｄ  右側封止部材（封止手段）
８８ａ〜８８ｄ  左側封止部材（封止手段）
９５ａ〜９５ｄ  ＬＥＤ（発光体）
９６ａ  太陽電池（電源）
９７ａ〜９７ｄ  固定部材
１００  主制御基板（制御基板）
１０２ｂ  左壁部（壁部）
１０７ａ〜１０７ｄ  突起部
１０７ｅ〜１０７ｈ  突起部（第２の突起部）
１０８ａ  コイルバネ（付勢手段、弾性部材）
１０９ａ〜１０９ｄ  移動部材
【図１】
2006075190.tif 000003
【図２】
2006075190.tif 000004
【図３】
2006075190.tif 000005
【図４】
2006075190.tif 000006
【図５】
2006075190.tif 000007
【図６】
2006075190.tif 000008
【図７】
2006075190.tif 000009
【図８】
2006075190.tif 000010
【図９】
2006075190.tif 000011